(57)【要約】【課題】仰臥状態で操作できるノートパソコンの載置台において、キーボード操作が容易で頭をぶつけるようなことがなく、さらに、姿勢を変えて座った状態でも操作できるようにすることを課題とする。【解決手段】ノートパソコン用載置台として、ノートパソコンを上面に載置する載置板と、ノートパソコンの下部の前縁を前方に移動しないように支持する前縁支持体と、ノートパソコンの下部上面後部を前記載置板に固定する上面後部固定体と、前記載置板を所定高さで回動可能に保持する支持脚と、前記載置板の回動を上面がほぼ水平から４５度までの範囲に含まれる第１の角度で規制する第１角度規制手段と、前記載置板の回動を上面がほぼ垂直から１８０度まで範囲に含まれる第２の角度で規制する第２角度規制手段とを設ける。【選択図】  図２
2008113784.tif 000002
【特許請求の範囲】
【請求項１】
ノートパソコンを上面に載置する載置板と、
ノートパソコンの下部の前縁を前方に移動しないように支持する前縁支持体と、
ノートパソコンの下部の上面後部を前記載置板に固定する上面後部固定体と、
前記載置板を所定高さで回動可能に保持する支持脚と、
前記載置板の回動を上面がほぼ水平から４５度までの範囲に含まれる第１の角度で規制する第１角度規制手段と
前記載置板の回動を上面がほぼ垂直から１８０度まで範囲に含まれる第２の角度で規制する第２角度規制手段と
を有するノートパソコン用載置台。
【請求項２】
前記第２の角度がほぼ垂直であり、
前記所定高さは前記第２の角度に載置板を回動させた状態において、前記前縁支持体に支持されるノートパソコンの前縁までの高さが、想定される使用者の前腕の長さとほぼ等しくなる高さである請求項１に記載のノートパソコン用載置台。
【請求項３】
前記支持脚は、前記載置板の両側で載置板を回動可能に保持する請求項１又は２に記載のノートパソコン載置台。
【発明の詳細な説明】
【技術分野】
【０００１】
本発明はノートパソコンを載置する台に関し、特に使用者が座った姿勢でも仰臥した姿勢でも使用できるものに関する。
【背景技術】
【０００２】
従来、パソコンを仰臥した状態で使用するためのノートパソコンの保持器具が種々提案されている。下記特許文献１には、ノートパソコンを透明の台上に画面が下を向くように載置することで、画面を下方に向ける発明が示され、特許文献２、３には、ノートパソコンを開いた状態で全体を下方に向けて保持する発明が示されている。これらは、キーボード面が斜め下方を向くのでキーボード面を見やすいという利点がある。また、特許文献４には、斜め後方に傾斜した載置台の前縁にノートパソコンの下部前縁を前方に移動しないように支持する前縁支持体を設けた発明が示され、特許文献５には、ノートパソコンの下部に係合して斜め後方に保持するブロックを座卓に置くことが示されている。これらは、キーボードの位置からノートパソコンの位置が胸より下方になるので、起き上がる際に頭部をぶつけることがなく安全性が高い。
【特許文献１】特開２００３−２９８７５号公報
【特許文献２】特開２００５−１３７４９０号公報
【特許文献３】特開２００４―０９７７６７号公報
【特許文献４】実用新案登録第３１０７４５７号公報
【特許文献５】実用新案登録第３０８６３６６号公報
【発明の開示】
【発明が解決しようとする課題】
【０００３】
ところで上記特許文献１から３に記載の発明は、キーボード面の位置からどうしても画面の位置が胸から上に存するので起き上がる際に頭をぶつける可能性があり、また、ぶつからないように本体を離すとキーボードを腕を伸ばして操作をする必要があり、操作時の疲労が大きい。一方、特許文献４、５に記載の発明であれば、このような問題は生じないが、キーボード面が斜め上方を向き、操作者の視線に対して平行に近くなるのでキーボード面を確認しづらいという問題がある。
また、上記のいずれの発明も仰臥状態で専用に使用されるものであり、同じ姿勢を強いられるので疲れやすいという問題もある。
本発明は、このような観点から、仰臥状態で操作できるノートパソコンの載置台において、キーボード操作が容易で頭をぶつけるようなことがなく、さらに、姿勢を変えて座った状態でも操作できるようにすることを課題とする。
【課題を解決するための手段】
【０００４】
上記課題を解決するために、本発明は次のような構成を有する。
請求項１に記載の発明は、ノートパソコンを上面に載置する載置板と、ノートパソコンの下部の前縁を前方に移動しないように支持する前縁支持体と、ノートパソコンの下部の上面後部を前記載置板に固定する上面後部固定体と、前記載置板を所定高さで回動可能に保持する支持脚と、前記載置板の回動を上面がほぼ水平から４５度までの範囲に含まれる第１の角度で規制する第１角度規制手段と、前記載置板の回動を上面がほぼ垂直から１８０度まで範囲に含まれる第２の角度で規制する第２角度規制手段とを有するノートパソコン用載置台である。
なお、ここでノートパソコンとは、画面部を有する扁平長方体形状の上部とキーボードを有する扁平長方体形状の下部とが後部の一縁で回動可能に連結され二つ折りに折りたたむことができるパソコンをいう。また、「４５度」「１８０度」の角度の基準は、載置板が水平状態を０度とし、この状態から上面が前方に回動する方向を角度の正の方向とする。即ち、上面が垂直に立った状態は９０度となる。
請求項２に記載の発明は、前記ノートパソコン用載置台において、前記第２の角度がほぼ垂直であり、前記所定高さは前記第２の角度に載置板を回動させた状態において、前記前縁支持体に支持されるノートパソコンの下部前縁までの高さが、想定される使用者の前腕の長さとほぼ等しくなる高さとなるものである。
なお、想定される使用者としては、成人男性、成人女性、子供などが例示され、前腕の長さはこれらの者の前腕の平均的な長さを採用することが好適である。
請求項３に記載の発明は、前記ノートパソコン用載置台において、前記支持脚は、前記載置板の両側で載置板を回動可能に保持するものである。
【発明の効果】
【０００５】
請求項１に記載の発明は、載置板にノートパソコンを載置し、前縁支持体と上面後部固定体とでノートパソコン下部を保持した状態で、載置板を第２角度規制手段によって第２の角度に規制することでキーボード面がほぼ垂直から１８０度までのいずれかの方向に含まれる第２の角度に向くので、キーボードを見て操作することが容易であり、起き上がる際には、載置板を後方に容易に回動させれば頭を打つようなこともない。また、載置板を第１角度規制手段によって第１の角度の規制するとキーボード面が斜め４５度から水平を向くので、座った状態でノートパソコンを操作できる状態となり、さらに、仰臥状態から座った状態間はスムーズに移行できるので、適宜姿勢を代えてノートパソコンの操作をすることができる。
請求項２に記載の発明は、仰臥状態において載置板がほぼ垂直となり、この状態でノートパソコンの下部前縁までの高さが、想定される使用者の前腕の長さとほぼ等しくなるので、床面に肘をつけた状態で前腕を立てると、丁度、手首がキーボードの前縁位置に存することとなり、手を筋肉をあまり使わずに上腕骨で支持することができるので、長時間楽にキーボードを操作することができる。
請求項３に記載の発明は、支持脚を載置板の両側で支持することで、載置板が安定し、安全性を高くすることができる。
【発明を実施するための最良の形態】
【０００６】
以下、本発明の実施の形態について、図面を参照しながら説明する。
図１に、本実施形態に係るノートパソコン用載置台Ｘの斜視図を示し、図２に図１のＡ−Ａ断面図を示す。ノートパソコン用載置台Ｘは、大きくは載置板１０、支持脚２０とから構成される。
載置板１０はノートパソコンが載置される長方形の板体であり、水平状態にした状態を基準として前端背面両側に貫通孔が設けられた半円径の板体である耳板１１が立った状態で固定されている。この耳板１１の貫通孔には鬼目ナットが打ち込まれている。また、載置板１０の上面前端部には、ノートパソコン下部前縁を支持するための細長い長方形の板体からなる前縁支持部４１が固定されるとともに、載置板１０の上面後部側の両側近傍には、ノートパソコンの下部の上面後部を固定するための帯体４２ａ、４２ｂとからなる上面後部固定体４２が設けられている。この帯体４２ａの表面先端側には面ファスナーの被係合部が貼り付けられているとともに、帯体４２ｂの裏面先端側には面ファスナーの係合部が貼り付けられており、これらをノートパソコン下部の上面後部上で係合させることで、ノートパソコンを固定する。
【０００７】
支持脚２０は、載置板１０の両側のそれぞれに立てて設けられる２枚の板体から構成され、各板体は長方形の板体の下端に前後に長く伸びる部分を設けたものである。支持脚２０の上方前側には貫通孔が設けてあり、この貫通孔と載置板１０の耳板１１に設けられた鬼目ナットとを重ねて、頭部が円筒状に形成されたボルト軸２１を外側から耳板１１の鬼目ナットに係合させることで、載置板１０は支持脚２０に所定の高さで回動可能に固定されることとなる。ここでは、載置板１０の前縁支持部４１内側面までの高さが成人男性の平均的な前腕の長さに一致するように設定される。また、支持脚２０同士は、背面上部で長方形状の桟木２２に連結されるとともに、上面後部で長方形状の板体からなる第１角度規制部材５２により連結されることで補強されている。第１角度規制部材５２は、補強の役割とともに、載置板１０が後方の一定角度で回動が止まるように支持する角度規制手段としても機能する。ここでは、載置板１０が約３０度の傾斜を有する位置で第１角度規制部材５２が載置板１０の背面に当接するように設定されている。支持脚２０の内側の貫通孔の上部やや前方側には直方体上のブロック体から構成される第２角度規制部材５１が設けられる。第２角度規制部材５１は、載置板１０が前方の一定角度で止まるように規制するものであり、ここでは、載置板１０が垂直より少しだけ前傾する位置で第２角度規制部材５１の後部が載置板１０の上面に当接するように設定されている。
【０００８】
次に、以上のような構成を有するノートパソコン用載置台Ｘの使用方法について説明する。まず、使用者はノートパソコンを開いた状態として載置板１０の上に置き、下部の前縁を前縁支持部４１に当接させる。次に、上面後部固定体４２を構成する帯体４２ａ、４２ｂの面ファスナーの係合部、被係合部をノートパソコン下部の上面後部上で係合させることで、ノートパソコンを載置板１０上に固定する。以上でノートパソコンの設置が完了する。
使用者が仰臥状態でノートパソコンを使用する際には、図３に示すように載置板１０をほぼ垂直に立てた状態とする。この状態において載置板１０は第２角度規制部材５１により前方への回動が規制されている。使用者Hは必要に応じてノートパソコンPの上部の角度を調整して見やすいようにし、図３に示すように肘の位置がノートパソコンPのキーボートの位置とほぼ一致するようにする。このようにすることで、腕がほぼ垂直となって手が上腕骨を介して床面により支えられるので、キーボード操作で腕が疲れることが緩和される。
使用者が座った状態でノートパソコンを使用する際には、図４に示すように載置板１０を後方に倒した状態とする。この状態において載置板１０は第１角度規制部材５２により後方への回動が規制されている。使用者Hは必要に応じてノートパソコンPの上部の角度を調整して見やすいようにし、キーボードを操作しやすい位置に座って作業を行う。
このように、本実施形態に係るノートパソコン用載置台Ｘは、簡易にノートパソコンを設置することができ、使用に際して仰臥状態と着座状態でのいずれの使用形態にもスムーズに移行することができる。また、仰臥状態においては、キーボードを見やすく、また、頭をぶつけずに起き上がることができ、また、操作する腕の疲れも比較的少なくすることができる。
なお、本実施形態においては、前縁支持体と上面後部固定体を別々に設けているが、上面後部固定体における固定を強固なものとすることで、前縁支持体を上面後部固定体が兼ねることも可能である。
【図面の簡単な説明】
【０００９】
【図１】実施形態に係るノートパソコン用載置台を示す斜視図である。
【図２】図１のＡ−Ａ断面図である。
【図３】仰臥姿勢での使用状態を示す縦断面図である。
【図４】着座姿勢での使用状態を示す縦断面図である。
【符号の説明】
【００１０】
X  ノートパソコン用載置台
Ｐ  ノートパソコン
１０  載置板
２０  支持脚
４１  前縁支持体
４２  上面後部固定体
５１  第２角度規制部材
５２  第１角度規制部材
【図１】
2008113784.tif 000003
【図２】
2008113784.tif 000004
【図３】
2008113784.tif 000005
【図４】
2008113784.tif 000006